(57)【要約】      （修正有）【課題】頭部全体への飛沫付着を防ぐことができる頭部カバー具を提供する。【解決手段】頭部カバー具であるフェイスフード１は、本体２を備える。本体２の内部には、フェイスシールド２１を装着した状態の人間の頭部を収容可能な大きさの収容空間２Ｄが形成されている。本体２には、収容空間２Ｄと本体２の外部とを連通した、開放口部２Ｃと第１の通気口部２Ａと第２の通気口部２Ｂが形成されている。第１の不織布シート３Ａが、第１の通気口部２Ａの外部へ面した方の面全体に重なるように取付けられており、第２の不織布シート３Ｂが、第２の通気口部２Ｂの外部へ面した方の面全体に重なるように取付けられている。フェイスフード１を使用者が装着したとき、本体２の開放口部２Ｃの縁部は、使用者の肩部３２に到達しており、フェイスフード１は使用者の首部３１を覆うことができる。【選択図】図３
0003230437.tif 000002
【実用新案登録請求の範囲】
【請求項１】
第１の方向に延びており、内部に所定の大きさの収容空間が形成されており、かつ、同第１の方向の一端が閉塞されていると共に同第１の方向の一端とは反対側の他端に前記収容空間と外部とを連通した開放口部が形成されており、同第１の方向に対して略直交する第２の方向における同開放口部の縁部間の長さが、同第１の方向の前記一端と前記他端との間に位置する中間領域の同第２の方向における内側面間の長さと略同じか、または同内側面間の長さより長く、かつ、同収容空間と外部とを連通した通気口部が同中間領域よりも同第１の方向の前記一端に近い位置に形成されており、光透過性を有する本体と、
前記通気口部の少なくとも一方の面全体に重なるように前記本体に取付けられた、粒子の捕集が可能であり通気可能なフィルター部とを備える
頭部カバー具。
【請求項２】
前記本体の収容空間の大きさは、フェイスシールドを装着した状態の人間の頭部を収容可能な大きさである
請求項１に記載の頭部カバー具。
【請求項３】
前記本体の前記第１の方向の長さは、同本体を人間の頭部に装着したときに同人間の肩部に前記開放口部の縁部が到達できる長さである
請求項１または請求項２に記載の頭部カバー具。
【請求項４】
前記通気口部は、前記本体の少なくとも２箇所に形成された
請求項１、請求項２または請求項３に記載の頭部カバー具。
【請求項５】
前記通気口部は、前記第２の方向に延びた互いに同一の仮想直線上に対向して位置した２箇所に形成された
請求項１、請求項２または請求項３に記載の頭部カバー具。
【請求項６】
前記本体は樹脂製シートで構成され、
前記フィルター部は不織布シートで構成された
請求項１、請求項２、請求項３、請求項４または請求項５に記載の頭部カバー具。
【考案の詳細な説明】
【技術分野】
【０００１】
本考案は頭部カバー具に関する。詳しくは、例えば、フェイスシールドを装着した人の頭部を覆うことができる頭部カバー具に係るものである。
【背景技術】
【０００２】
「感染」とは、ウイルス、細菌、真菌（カビ）などの病原微生物が身体に入って増殖することであり、感染が引き起こす様々な疾患の総称が「感染症」である。
感染症には、インフルエンザ、風邪、胃腸炎など様々なものが存在しており、２０１９年以降では新型コロナウイルス感染症も確認されている。
【０００３】
また、感染が成立するためには、（１）ウイルスや細菌を保有する人が存在し、（２）ウイルスなどに対する免疫がなく、そして（３）感染経路がある、という３つの要件が揃うことが必要である。
よって、ウイルスや細菌を根絶することは困難であるため、感染症対策としては、免疫力を下げない生活や感染経路を絶つことが重要である。
【０００４】
インフルエンザ、マイコプラズマ肺炎、新型コロナウイルス感染症などの感染経路として、飛沫感染が考えられている。
飛沫感染とは、感染者がくしゃみ、咳、発声などをすることにより、飛沫と一緒に飛沫に含まれたウイルスが放出され、他者がそのウイルスを口や鼻から吸い込むことで感染することである。
【０００５】
このような飛沫感染の予防方法としては、現在、マスクを装着する方法が一般的である。
しかし、マスクによって覆われた箇所に熱がこもり、特に夏季においてはマスクの着用者は暑さや蒸れを感じて不快になり易く、また、長時間の着用によって肌荒れが起き易いという問題がある。
【０００６】
そこで、化学物質を扱う人や粉じんを扱う人が使用しているフェイスシールドが注目され、新型コロナウイルスの流行に起因して様々なフェイスシールドが提案されている。
【０００７】
例えば特許文献１には、図４に示すフェイスシールドが記載されている。
すなわち、特許文献１に記載のフェイスシールド１０１は、使用者の頭に巻き付け可能なヘッドバンド１０２と、ヘッドバンド１０２に取付けられていると共に目や顔面を保護する透明のシールド１１０とを備える。
【０００８】
また、ヘッドバンド１０２の左右側面部には、シールド１１０の取付孔１１１に挿入してシールド１１０をヘッドバンド１０２に取付けるためのシールド取付け用フック１０４が設けられている。
【０００９】
また、ヘッドバンド１０２の中央部の顔の幅に相当する部分には、下方向に突出した円弧状のバイザー１０５が設けられている。
また、バイザー１０５の左右付け根から、バイザー上端部を通る円弧状のバイザー折罫線１０６が設けられている。
バイザー折罫線１０６の曲率半径は、バイザー１０５の曲率半径より大であるため、バイザー折罫線１０６に沿ってバイザー１０５を下方向に折ることにより、バイザー１０５は下方向に一定の角度に固定され、ヘッドバンド１０２自体の剛性を高める。
【００１０】
また、バイザー１０５をバイザー折罫線１０６に沿ってバイザー１０５を下方向に折り、シールド１１０の取付孔１１１に、ヘッドバンド１０２のシールド取付け用フック１０４を挿入するだけの簡単な操作で、フェイスシールド１０１を組み立てることができる。
【先行技術文献】
【特許文献】
【００１１】
【特許文献１】実用新案登録第３２２７５０１号公報
【考案の概要】
【考案が解決しようとする課題】
【００１２】
しかしながら、特許文献１に記載のフェイスシールドを含め、フェイスシールドは一般的に、フェイスシールドを装着した使用者と対面する相手が、発声、くしゃみ、または咳をすることによって相手の口から飛散する飛沫すなわち、シールドの前方から飛散する飛沫が顔面に付着することを防ぐことはできるが、シールドの左右、シールドの上方、シールドの側方またはシールドの後方から飛散してくる飛沫を防ぐことは困難であり、シールドと使用者との間に形成された隙間を通った飛沫が顔面に付着してしまい、目や鼻や口が汚染されてしまうという問題があった。
【００１３】
また、頭頂部や、耳や、頸部などは特許文献１に記載のフェイスシールドによって保護できず露出しており、これら露出した部分に飛沫が付着してしまうことは避けられなかった。
また、身体に飛沫が付着していた場合、飛沫に含まれたウイルスは数十時間〜数日間生存している可能性があり、入浴などでウイルスを洗い流す前に無意識に身体に触ってしまうと、手指にウイルスが付着し、その手指で目や鼻や口を触ってウイルスに感染してしまうおそれがあった。
【００１４】
本考案は、以上の点に鑑みて創案されたものであり、頭部全体への飛沫付着を防ぐことができる頭部カバー具を提供することを目的とする。
【課題を解決するための手段】
【００１５】
上記の目的を達成するために、本考案の頭部カバー具は、第１の方向に延びており、内部に所定の大きさの収容空間が形成されており、かつ、同第１の方向の一端が閉塞されていると共に同第１の方向の一端とは反対側の他端に前記収容空間と外部とを連通した開放口部が形成されており、同第１の方向に対して略直交する第２の方向における同開放口部の縁部間の長さが、同第１の方向の前記一端と前記他端との間に位置する中間領域の同第２の方向における内側面間の長さと略同じか、または同内側面間の長さより長く、かつ、同収容空間と外部とを連通した通気口部が同中間領域よりも同第１の方向の前記一端に近い位置に形成されており、光透過性を有する本体と、前記通気口部の少なくとも一方の面全体に重なるように前記本体に取付けられた、粒子の捕集が可能であり通気可能なフィルター部とを備える。
【００１６】
ここで、第１の方向に延びており、内部に所定の大きさの収容空間が形成されており、かつ、第１の方向の一端が閉塞されていると共に第１の方向の一端とは反対側の他端に収容空間と外部とを連通した開放口部が形成されており、光透過性を有する本体によって、使用者は開放口部を通して頭部を内部の収容空間に入れて本考案の頭部カバー具を頭部に装着して頭部を覆うことができ、装着しても視界を遮られることはないため装着した状態で行動することができ、また、開放口部を通して頭部を外部に露出させ、頭部から本考案の頭部カバー具を取外すことができる。
【００１７】
また、「所定の大きさ」とは、人間の頭部を収容できる大きさを意味する。
また、「頭部」とは、人間の身体の一区分であり、内部に脳を有し、外部に目と鼻と耳と口などがある部分を意味する。
【００１８】
また、第２の方向における開放口部の縁部間の長さが、第１の方向の一端と他端との間に位置する中間領域の第２の方向における内側面間の長さと略同じか、または内側面間の長さより長く、かつ、収容空間と外部とを連通した通気口部が中間領域よりも第１の方向の一端に近い位置に形成された本体によって、本考案の頭部カバー具が頭部に装着されたときに、開放口部が使用者の鼻や口よりも鉛直方向下方に位置し、開放口部の縁部と使用者の首との間に充分な隙間を確保できると共に、通気口部が使用者の鼻や口よりも鉛直方向上方に位置するので、使用者の呼吸により生じる本体の内部の気流が、鼻や口を挟んで上下にそれぞれ位置する通気口部と開放口部を通り、呼吸し易い。
【００１９】
また、「中間領域」とは、本考案の頭部カバー具が頭部に装着されたときに、使用者の目や鼻や耳や口に面する位置にある領域である。
【００２０】
また、開放口部の縁部と使用者の首との間に充分な隙間があっても、本考案の頭部カバー具の使用時において開放口部は鉛直方向下方に向かって開口しているので、ウイルス保有者が直接この隙間へ向けて飛沫を放出しない限り、重力の影響で飛沫が隙間を通って本体の内部に侵入するおそれはない。
【００２１】
また、通気口部の少なくとも一方の面全体に重なるように本体に取付けられた、粒子の捕集が可能であり通気可能なフィルター部によって、通気を確保できると共に、使用者の頭部の鉛直方向上方から使用者へ向かって飛んでくる飛沫に含まれるウイルスなどの粒子を捕集して使用者への感染を抑制できる。
【００２２】
また、本考案の頭部カバー具において、本体の収容空間の大きさは、フェイスシールドを装着した状態の人間の頭部を収容可能な大きさである構成とすることができる。
【００２３】
この場合、フェイスシールドと本考案の頭部カバー具を併用でき、また、本体の収容空間にフェイスシールドも収容されるので、フェイスシールドによって本体と使用者の鼻や口との間が一定の距離保たれ、吐息による本体の曇りを抑制できる。
【００２４】
さらに、本考案の頭部カバー具において、本体の第１の方向の長さは、本体を人間の頭部に装着したときに人間の肩部に開放口部の縁部が到達できる長さである構成とすることができる。
【００２５】
この場合、本考案の頭部カバー具が使用者の頸部すなわち首を覆うことができるので、首への汚染飛沫の付着を抑制できる。
【００２６】
また、本考案の頭部カバー具において、通気口部は、本体の少なくとも２箇所に形成された構成とすることができる。
【００２７】
この場合、通気口部が１箇所に形成された構成よりもさらに通気し易くなる。
【００２８】
また、本考案の頭部カバー具において、通気口部は、第２の方向に延びた互いに同一の仮想直線上に対向して位置した２箇所に形成された構成とすることができる。
【００２９】
この場合、本考案の頭部カバー具が頭部に装着されたときに、例えば、前頭部と後頭部、または左側頭部と右側頭部それぞれに面した箇所であって互いに対向した位置に通気口部が形成されているので、偏りなく通気し易くなる。
【００３０】
また、本考案の頭部カバー具において、本体は樹脂製シートで構成され、フィルター部は不織布シートで構成された構成とすることができる。
【００３１】
この場合、本考案の頭部カバー具を折り畳んで持ち運びし易い。また、大量生産できて使い捨てが可能となり、本考案の頭部カバー具を常に清潔な状態で使うことができる。
【考案の効果】
【００３２】
本考案に係る頭部カバー具は、頭部全体への飛沫付着を防ぐことができる。
【図面の簡単な説明】
【００３３】
【図１】本考案を適用したフェイスフードの一例を示す概略図である。
【図２】本考案を適用したフェイスフードの一例を示す概略断面図である。
【図３】本考案を適用したフェイスフードが、フェイスシールドを装着した使用者の頭部に装着された状態の一例を示す概略図である。
【図４】従来のフェイスシールドが使用者に装着された状態の概略図である。
【考案を実施するための形態】
【００３４】
以下、本考案の実施の形態について図面を参照しながら説明し、本考案の理解に供する。
図１は、本考案を適用したフェイスフードの一例を示す概略図である。
また、図２は、本考案を適用したフェイスフードの一例を示す概略断面図である。
【００３５】
図１及び図２に示す本考案のフェイスフード１は、本体２を備える。
ここで、本体２は樹脂製シートで構成されており、樹脂製シートは光透過性を有する。
すなわち、本体２は光透過性を有する。
【００３６】
また、本体２は第１の方向４に延びている。
また、本体２の内部には、所定の大きさ例えば、フェイスシールドを装着した状態の人間の頭部を収容可能な大きさの収容空間２Ｄが形成されている。
【００３７】
また、本体２の第１の方向４の一端は閉塞されている。
また、本体２の第１の方向４の一端とは反対側の他端には、収容空間２Ｄと、本体２の外部とを連通した開放口部２Ｃが形成されている。
【００３８】
また、第１の方向４に対して略直交する第２の方向５における開放口部２Ｃの縁部間の長さＤ１は、第１の方向４の一端と他端との間に位置する、本体２の中間領域の第２の方向５における内側面間の長さＤ２より長い。
【００３９】
また、収容空間２Ｄと本体２の外部とを連通した、第１の通気口部２Ａと第２の通気口部２Ｂが、本体２の中間領域よりも第１の方向４の閉塞された一端に近い位置に形成されている。
ここで、図２に示すように、第１の通気口部２Ａが形成された箇所と、第２の通気口部２Ｂが形成された箇所は、第２の方向５に延びた互いに同一の仮想直線６上に位置しており、これらの箇所は対向している。
すなわち、第１の通気口部２Ａと第２の通気口部２Ｂは、第２の方向５に延びた互いに同一の仮想直線６上に対向して位置した２箇所にそれぞれ形成されている。
【００４０】
また、本考案のフェイスフード１は、第１の不織布シート３Ａと第２の不織布シート３Ｂとを備える。
【００４１】
ここで、第１の不織布シート３Ａは、本体２の外側面に取付けられている。また、第１の不織布シート３Ａは、第１の通気口部２Ａの一方の面全体すなわち本体２の外部へ面した方の面全体に重なるように取付けられている。
【００４２】
また、第２の不織布シート３Ｂは、本体２の外側面に取付けられている。また、第２の不織布シート３Ｂは、第２の通気口部２Ｂの一方の面全体すなわち本体２の外部へ面した方の面全体に重なるように取付けられている。
【００４３】
また、第１の不織布シート３Ａと第２の不織布シート３Ｂは、市販の不織布マスクと同様に、ウイルスなどの粒子を捕集可能であると共に、通気可能である。
第１の不織布シート３Ａと第２の不織布シート３Ｂは、フィルター部の一例である。すなわち、フィルター部は不織布シートで構成されている。
【００４４】
また、本体２の第１の方向４の長さは、本体２を人間の頭部に装着したときに、その人間の肩部に開放口部２Ｃの縁部が到達できる長さである。
【００４５】
また、フェイスフード１は、本考案の頭部カバー具の一例である。
【００４６】
また、本考案のフェイスフード１の本体２は、一枚の柔軟な樹脂製シートを半分に１回折り、重なった２箇所の縁部同士を接着させて袋状に形成されたものであるため、本考案のフェイスフード１が使用されていないときは、通常のビニール袋と同様に内部の収容空間が狭くなっている。
なお、本考案のフェイスフードすなわち頭部カバー具の製造方法がこのような方法に限定されないことは勿論である。
【００４７】
また、図１に示す本考案のフェイスフード１は、使用されておらず収容空間２Ｄが狭くなっているときの状態であり、図２に示す本考案のフェイスフード１は、使用されるために収容空間２Ｄが人間の頭部を収容できる大きさとなった状態である。
【００４８】
本考案のフェイスフードすなわち頭部カバー具において、本体の収容空間の大きさは、必ずしもフェイスシールドを装着した状態の人間の頭部を収容可能な大きさでなくてもよく、少なくともフェイスシールドを装着していない人間の頭部を収容可能な大きさであればよい。
【００４９】
しかし、本体の収容空間の大きさが、フェイスシールドを装着した状態の人間の頭部を収容可能な大きさであれば、フェイスシールドと本考案の頭部カバー具を併用でき、また、本体の収容空間にフェイスシールドも収容されるので、フェイスシールドによって本体と使用者の鼻や口との間が一定の距離保たれ、吐息による本体の曇りを抑制でき、好ましい。
【００５０】
また、本考案の頭部カバー具において、本体の第１の方向の長さは、必ずしも本体を人間の頭部に装着したときに、その人間の肩部に開放口部の縁部が到達できる長さでなくてもよい。
【００５１】
しかし、本体の第１の方向の長さが、本体を人間の頭部に装着したときに人間の肩部に開放口部の縁部が到達できる長さであれば、本考案の頭部カバー具が使用者の頸部すなわち首を覆うことができるので、首への汚染飛沫の付着を抑制でき、好ましい。
【００５２】
また、本考案の頭部カバー具において、必ずしも第１の通気口部と第２の通気口部というように２つの通気口部が本体に形成されていなくてもよく、例えば１つの通気口部が形成されていたり、３〜４つの通気口部が形成されたりしてもよい。
すなわち、本体の１箇所に通気口部が形成されていてもよく、また、本体の３箇所以上に通気口部が形成されていてもよい。
【００５３】
なお、通気口部が、本体の少なくとも２箇所に形成されていれば、通気口部が１箇所に形成された構成よりもさらに通気し易くなるので好ましい。
【００５４】
また、本考案の頭部カバー具において、必ずしも通気口部は、第２の方向に延びた互いに同一の仮想直線上に対向して位置した２箇所に形成されていなくてもよい。
【００５５】
しかし、通気口部がこのように位置した２箇所に形成されていれば、本考案の頭部カバー具が頭部に装着されたときに、例えば、前頭部と後頭部、または左側頭部と右側頭部それぞれに面した箇所であって互いに対向した位置に通気口部が形成されているので、偏りなく通気し易くなり、好ましい。
【００５６】
また、本考案の頭部カバー具において、本体は必ずしも樹脂製シートで構成されていなくてもよく、また、フィルター部は必ずしも不織布シートで構成されていなくてもよい。
【００５７】
しかし、本体が樹脂製シートで構成されており、フィルター部が不織布シートで構成されていれば、本考案の頭部カバー具を折り畳んで持ち運びし易く、また、大量生産できて使い捨てが可能となり、本考案の頭部カバー具を常に清潔な状態で使うことができるので好ましい。
【００５８】
図３は、本考案を適用したフェイスフードが、フェイスシールドを装着した使用者の頭部に装着された状態の一例を示す概略図である。
【００５９】
本考案のフェイスフード１を使用する場合、本体２の収容空間２Ｄを拡げ、本体２の開放口部２Ｃを通して、フェイスシールド２１を装着した使用者の頭部を本体２の内部の収容空間２Ｄに入れて、図３に示すように、本考案のフェイスフード１で使用者の頭部を覆う。
ここで、フェイスシールド２１は、使用者の頭に巻き付けられたヘッドバンド２２と、ヘッドバンド２２に取付けられたシールド２３とを備える一般的なものである。
【００６０】
このとき、本体２の開放口部２Ｃの縁部は、使用者の肩部３２に到達しており、図３に示すように本考案のフェイスフード１が使用者の頸部すなわち首部３１を覆うことができるので、首部３１への汚染飛沫の付着を抑制できる。
【００６１】
また、本考案のフェイスフード１の本体２には、第１の通気口部２Ａと第２の通気口部２Ｂが形成されており、さらに開放口部２Ｃの縁部間の長さＤ１が、本体２の中間領域の第２の方向５における内側面間の長さＤ２より長いので、開放口部２Ｃの縁部と使用者の首部３１との間に充分な隙間を確保でき、また、使用者の呼吸により生じる本体２の内部の気流が、使用者の鼻や口を挟んで上下にそれぞれ位置する、第１の通気口部２Ａと第２の通気口部２Ｂ並びに開放口部２Ｃを通り、呼吸し易い。
【００６２】
また、図３に示すように、本体２の収容空間２Ｄに、フェイスシールド２１を装着した使用者の頭部が収容されるので、フェイスシールド２１の汚染を防止できるうえに、シールド２３によって本体２と使用者の鼻や口との間が一定の距離保たれ、吐息による本体２の曇りを抑制できる。
【００６３】
以上のように、本考案のフェイスフードすなわち頭部カバー具が備える本体は、その内部に収容空間が形成されており、光透過性を有するので、本考案の頭部カバー具を頭部に装着して頭部を覆うことができ、装着しても視界を遮られることはないため装着した状態で行動することができる。
【００６４】
また、本考案の頭部カバー具が備える本体には、通気口部や開放口部が形成されているので、使用者の呼吸により生じる本体の内部の気流が、鼻や口を挟んで上下にそれぞれ位置する通気口部と開放口部を通り、呼吸し易い。
【００６５】
また、本考案の頭部カバー具は、第１の不織布シート及び第２の不織布シートすなわちフィルター部を備えているので、通気を確保できると共に、使用者の頭部の鉛直方向上方から使用者へ向かって飛んでくる飛沫に含まれるウイルスなどの粒子を捕集して使用者への感染を抑制できる。
【００６６】
従って、本考案の頭部カバー具は、頭部全体への飛沫付着を防ぐことができる。
【００６７】
また、本考案の頭部カバー具は、フェイスシールドを装着した状態でも被ることができるのでフェイスシールドの汚染を防止できる。
また、本考案の頭部カバー具の本体は樹脂製シートで構成されており、フィルター部は不織布シートで構成されているので、本考案の頭部カバー具を対人作業ごとに衛生的に破棄して未使用のものと交換でき、対人作業の中での周囲への二次感染を防止できる。
【符号の説明】
【００６８】
１    フェイスフード
２    本体
２Ａ  第１の通気口部
２Ｂ  第２の通気口部
２Ｃ  開放口部
２Ｄ  収容空間
３Ａ  第１の不織布シート
３Ｂ  第２の不織布シート
４    第１の方向
５    第２の方向
６    仮想直線
２１    フェイスシールド
２２    ヘッドバンド
２３    シールド
３１    首部
３２    肩部
Ｄ１  開放口部の縁部間の長さ
Ｄ２  中間領域の第２の方向における内側面間の長さ
【図１】
0003230437.tif 000003
【図２】
0003230437.tif 000004
【図３】
0003230437.tif 000005
【図４】
0003230437.tif 000006